(57)【要約】【課題】竪樋の設置が容易で施工性に優れるとともに、施工後に衝撃が加わった場合にも簡単には外れることがなく、かつ、設置後の竪樋のメンテナンス性に優れた竪樋用控え具を提供する。【解決手段】建物の外壁面に固定される支持固定部と、この支持固定部に接続される受け部と、受け部に接続されて竪樋を把持する把持部を備えた竪樋用控え具であって、受け部は、一端部に把持部の一端部を回動自在に連結するヒンジ部を有し、他端部に爪部を有する嵌合部を備え、把持部は、中央部が外壁面よりも前方に向かう円弧状に形成され、一端に受け部と連結されるヒンジ部が設けられるとともに、他端部に受け部の嵌合部との嵌合、解除が可能な移動部材が設けられ、竪樋を把持した状態において、ヒンジ部と嵌合部及び移動部材が、把持部の中心軸より外壁面側に寄った位置となるように配設されている。【選択図】図１
2017160617.tif 000002
【特許請求の範囲】
【請求項１】
建物の外壁面に固定される支持固定部と、この支持固定部に接続される受け部と、受け部に接続されて竪樋を把持する把持部を備えた竪樋用控え具であって、
前記受け部は、一端部に前記把持部の一端部を回動自在に連結するヒンジ部を有し、他端部に爪部を有する嵌合部を備え、
前記把持部は、中央部が前記外壁面よりも前方に向かう円弧状に形成され、一端に前記受け部と連結されるヒンジ部が設けられるとともに、他端部に前記受け部の前記嵌合部との嵌合、解除が可能な移動部材が設けられ、
前記竪樋を把持した状態において、前記ヒンジ部と前記嵌合部及び前記移動部材が、前記把持部の中心軸より前記外壁面側に寄った位置となるように配設されていることを特徴とする竪樋用控え具。
【請求項２】
前記把持部の前記ヒンジ部が設けられた一端部とは反対側の他端部に、前記移動部材をスライド可能に収納する、垂直方向に貫通孔を有する環状部が形成されていることを特徴とする請求項１に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。
【０００３】
この竪樋用控え具としては、竪樋を抱持して支持するために、外壁面に固定する支持固定部とその前方に設けられた半円弧状の受け部と、この受け部の一端にヒンジ部により連結された開閉自在の蓋体とを備えた構造のものが知られている（例えば、特許文献１を参照）。
【０００４】
このような構造の竪樋用控え具を用いた竪樋の設置では、まず、蓋体を開いた状態で略円弧状の受け部の内側に竪樋を載置し、その状態で蓋体を閉めて受け部と蓋体の端部を係止することにより、竪樋を安定的に把持させて設置することができるとされている。
【０００５】
一方、近年、住宅用の竪樋用控え具に関しては、竪樋の設置が容易で、施工性に優れ、更に、施工後には簡単には外れない竪樋控え具が要求されている。
【先行技術文献】
【特許文献】
【０００６】
【特許文献１】特開平７−３１０４１２号公報
【発明の概要】
【発明が解決しようとする課題】
【０００７】
これに対し、上記特許文献１に記載の竪樋支持具では、受け部と蓋体とは其々の一端を側面で連結するヒンジ部の反対側の側面に設けられた係止部により係止される。そのため、竪樋の設置後に側面側から衝撃が加わった場合には、ヒンジ部が破損したり、係止部が外れて竪樋を確実に保持できない状態となる場合があった。
【０００８】
本発明は、上記従来の問題点に鑑みてなされたものであり、竪樋の設置が容易で施工性に優れるとともに、設置後の竪樋のメンテナンス性に優れ、施工後に外部から衝撃が加わった場合にも簡単には外れることがない竪樋用控え具を提供することを課題とする。
【課題を解決するための手段】
【０００９】
本発明は、上記の課題を解決するために、以下のことを特徴としている。
【００１０】
すなわち、本発明の竪樋用控え具は、建物の外壁面に固定される支持固定部と、この支持固定部に接続される受け部と、受け部に接続されて竪樋を把持する把持部を備えた竪樋用控え具であって、前記受け部は、一端部に前記把持部の一端部を回動自在に連結するヒンジ部を有し、他端部に爪部を有する嵌合部を備え、前記把持部は、中央部が前記外壁面よりも前方に向かう円弧状に形成され、一端に前記受け部と連結されるヒンジ部が設けられるとともに、他端部に前記受け部の前記嵌合部との嵌合、解除が可能な移動部材が設けられ、前記竪樋を把持した状態において、前記ヒンジ部と前記嵌合部及び前記移動部材が、前記把持部の中心軸より前記外壁面側に寄った位置となるように配設されていることを特徴とする。
【発明の効果】
【００１１】
本発明によれば、竪樋の設置が容易で施工性に優れるとともに、設置後の竪樋のメンテナンス性に優れ、施工後に外部から衝撃が加わった場合にも簡単には外れることがない竪樋用控え具を提供することが可能となる。
【図面の簡単な説明】
【００１２】
【図１】本発明の竪樋用控え具の一実施形態の概略斜視図である。
【図２】本発明の竪樋用控え具に竪樋を取り付けた状態の概略斜視図である。
【図３】移動部材支持部に対する移動部材の取付け状態の実施形態であり、（Ａ）はプレート型移動部材の取付け状態を示す概略斜視図であり、（Ｂ）は環状型移動部材の取付け状態を示す概略斜視図である。
【図４】環状移動部材支持部に対するプレート型移動部材の取付け状態の実施形態であり、（Ａ）は概略斜視図であり、（Ｂ）は、（Ａ）のＡ−Ａ断面図である。
【図５】環状移動部材支持部に対する環状型移動部材の取付け状態の実施形態であり、（Ａ）は概略斜視図であり、（Ｂ）は、（Ａ）のＢ−Ｂ断面図である。
【発明を実施するための形態】
【００１３】
本発明の竪樋用控え具について、図面に基づいて以下に詳述する。図１は本発明の竪樋用控え具の一実施形態を示した概略斜視図であり、図２は竪樋を取り付けた状態を示す概略斜視図である。
【００１４】
図１、図２に示すように、竪樋用控え具１は、建物の外壁面８に固定される支持固定部２と、この支持固定部２に接続される受け部３と、受け部３に接続されて竪樋９を把持する把持部４を備えた竪樋用控え具１である。
【００１５】
受け部３は、一端部に把持部４の一端部を回動自在に連結するヒンジ部５を有し、他端部に爪部６１を有する嵌合部６を備えている。また、把持部４は、中央部が外壁面８よりも前方（外壁面８から離れる方向）に向かう円弧状に形成され、一端に受け部３と連結されるヒンジ部５が設けられるとともに、他端部に受け部３の嵌合部６との嵌合、解除が可能な移動部材７が設けられている。
【００１６】
また、竪樋９を把持した状態において、ヒンジ部５と嵌合部６及び移動部材７が、把持部４の中心軸より外壁面８側に寄った位置となるように配設されている。
【００１７】
支持固定部２は、建物の外壁面８に打ち込み又はねじ込んで竪樋用控え具１を固定させるための部材である。支持固定部２の外壁面８側の形状は、竪樋用控え具１が建物の外壁面８から容易に外れないように固定できれば限定されるものではなく、例えば、先端が尖った釘状や、タッピンねじ等の形状とすることができる。
【００１８】
また、確実に外れないようにするために、予め建物の外壁面８に孔を開けておき、その孔にアンカー等を設け、支持固定部２を外壁面８の孔へ垂直に突き刺してねじ込む等して固定することもできる。
【００１９】
また、支持固定部２の外壁面８側の反対側は、受け部３に強固に接続されて受け部３を支持している。支持固定部２と受け部３の接続は、容易には外れないものであればその方法は特に制限はない。具体的には、ねじ２１等による接続や、接着剤、溶着等により接続することができる。また、支持固定部２と受け部３を一体に成形することもできる。
【００２０】
支持固定部２に固定される受け部３は、長手方向に一定の幅を有する円弧状の湾曲形状に形成され、この円弧状に湾曲した受け部３の内周面が、竪樋９の外周面の一部を支持する支持面となっている。即ち、受け部３は、支持固定部２を介して建物の外壁面８に固定され、円弧状支持面によって円筒状の竪樋９を建物側の後方より支持する役割を担っている。
【００２１】
受け部３の一端部は、把持部４を連結するためのヒンジ部５が設けられている。ヒンジ部５の構造は、把持部４を水平方向に回動自在に接続できるものであれば特に限定されるものではない。具体的には、例えば、受け部３と把持部４の端部に、一対の円筒形の軸受部を設け、軸受部を軸支した構造を例示することができる。
【００２２】
また、受け部３のヒンジ部５が設けられている一端部の反対側の他端部には、外壁面８方向に伸びる嵌合部６を備えている。本実施形態の竪樋用控え具１においては、受け部３の他端部に、上下に間隔を置いて二本の嵌合部６を備えている。
【００２３】
なお、上下二本の嵌合部６の間隔は、把持部４の端部に設けられた移動部材支持部４１の幅以上に設定されており、把持部４を閉めた状態で二本の嵌合部６の間に移動部材支持部４１が入り込むようになっている。また、嵌合部６の起点部には、移動部材支持部４１が当接する切欠き部６２が形成されている。把持部４を閉めた状態で、切り欠き部６２に移動部材支持部４１が当接して、嵌合部６と移動部材支持部４１が表側で面一となるようになっている。
【００２４】
また、嵌合部６の先端には、把持部４に設けられた移動部材７の水平移動を制限し、嵌合状態を保持するための突起を備えた爪部６１が設けられている。
【００２５】
把持部４は、竪樋９を強固に把持する部材であり、一端部に設けられたヒンジ部５により受け部３の一端部に連結され、水平方向に回動自在となっている。また、把持部４は、ヒンジ部５から他端部に向かって円弧状に湾曲して延びる内周面を竪樋９の外周面とほぼ同一の径を持つ湾曲状支持面としている。
【００２６】
把持部４の材質は、経年の使用に対しても劣化が少ない材質のものであれば特に制限されるものではないが、可撓性を有する材質とするのが好ましい。このような可撓性の材質としては、例えば、可撓性樹脂薄板、塗装鋼板、ステンレス、アルミニウム等の金属薄板、ＦＲＰ薄板、ゴム薄板等を挙げることができる。把持部４を可撓性を有する材質とすることにより、取り付ける竪樋９の径に自由度を持たせたり、竪樋９の取付け時に把持して仮押さえをすることができる。
【００２７】
また、把持部４のヒンジ部５とは反対側の他端部には、把持部４の長手方向に対して水平に移動可能に移動部材７が設けられている。具体的には、把持部４の端部に、幅方向に一段細い移動部材支持部４１が形成されている。そして、移動部材支持部４１に対して移動部材７が外れないように支持され、移動部材支持部４１に沿って移動部材７が摺動するようになっている。
【００２８】
図３（Ａ）、図３（Ｂ）に、移動部材支持部４１に対する移動部材７の取付け状態の実施形態を示す。図３（Ａ）の実施形態では、プレート型移動部材７１の表側に設けられた支持部７３が移動部材支持部４１を上下から挟み込み、プレート型移動部材７１が移動部材支持部４１に沿って矢印方向に摺動可能に設けられている。また、移動部材支持部４１の先端部には突起４２が設けられており、プレート型移動部材７１が脱落しないようになっている。
【００２９】
図３（Ｂ）の実施形態では、水平方向に貫通部７４を有する環状型移動部材７２の内側に設けられた支持部７３により、移動部材支持部４１を上下から挟み込み、環状型移動部材７２が移動部材支持部４１に沿って矢印方向に摺動可能に設けられている。
【００３０】
受け部３の嵌合部６と移動部材支持部４１の嵌合は、移動部材７を移動部材支持部４１の先端側に移動させた状態で把持部４を閉じ、嵌合部６と移動部材支持部４１を面一とし、移動部材７を前方方向にスライドさせることにより嵌合させることができる。
【００３１】
なお、環状型移動部材７２を嵌合部６に嵌合させる場合には、前方方向へのスライドの際に、貫通部７４に嵌合部６を挿通させることにより嵌合させることができる。
【００３２】
また、本実施形態の竪樋用控え具１においては、把持部４のヒンジ部５が設けられた一端部とは反対側の他端部に、移動部材７をスライド可能に収納する、垂直方向に貫通孔４４を有する環状部４３を形成することもできる。
【００３３】
図４（Ａ）、図４（Ｂ）に、垂直方向に貫通孔４４を有する環状部４３にプレート型移動部材７１が収納された一実施形態を示す。図４（Ａ）は斜視図であり、図４（Ｂ）は図４（Ａ）におけるＡ−Ａ断面図である。
【００３４】
この実施形態では、把持部４の端部に設けられた、垂直方向にスリット状の貫通孔４４を有する環状部４３にプレート型移動部材７１が内設されている。また、プレート型移動部材７１の表側に設けられた支持部７３により、環状部４３の一部である移動部材支持部４１を上下から挟み込み、環状部４３からプレート型移動部材７１が脱落しないようになっている。
【００３５】
また、図４（Ｂ）に示すように、プレート型移動部材７１は、環状部４３に厚み方向から挟まれるように内設されており、がたつきが生じないようになっている。
【００３６】
図５（Ａ）、図５（Ｂ）に、垂直方向に貫通孔４４を有する環状部４３に環状型移動部材７２が収納された他の実施形態を示す。図５（Ａ）は斜視図であり、図５（Ｂ）は図５（Ａ）におけるＢ−Ｂ断面図である。
【００３７】
この実施形態では、把持部４の端部に設けられた、垂直方向にスリット状の貫通孔４４を有する環状部４３に、水平方向に貫通部７４を有する環状型移動部材７２が設けられている。そして、環状部４３の一部である移動部材支持部４１に対し、環状型移動部材７２の内側に設けられた支持部７４が挟み込み、脱落しないようになっている。また、図５（Ｂ）に示すように、環状型移動部材７２は、環状部４３に厚み方向から挟まれるように内設されており、がたつきが生じないようになっている。
【００３８】
なお、本実施形態の竪樋用控え具１では、移動部材７の上部に指掛け部を設けることにより、移動部材支持部４１に対する移動部材７のスライド動作を容易にすることもできる。
【００３９】
本実施形態の竪樋用控え具１においては、ヒンジ部５と嵌合部６及び移動部材７の取付け位置は、把持部を閉じた状態において、把持部４の中心軸よりも建物の外壁面８側に寄った部分に配設する。ここで、把持部４の中心軸とは、支持固定部２と把持部４により形成される竪樋把持空間の中心軸、即ち、把持する竪樋９の断面中心軸を意味している。
【００４０】
このように、把持部４の中心軸よりも外壁面８側の位置にヒンジ部５と嵌合部６及び移動部材７を配設することにより、施工後に、竪樋用控え具１の前方や側面から衝撃が加わった場合でも、ヒンジ部５や嵌合部６及び移動部材７に直接影響が及ばない。従って、ヒンジ部５が破損したり移動部材７が外れることが発生しにくい。
【００４１】
以上のように構成した竪樋用控え具１によって、建物の外壁面８に沿って竪樋９を以下の手順により固定する。
【００４２】
まず、竪樋９を設置しようとする建物の外壁面８に、その長さ方向の所定部分毎に、複数の竪樋用控え具１を直列に設置する。竪樋用控え具１の設置は、外壁面８に対して支持固定部２を打ち込み又はねじ込むことにより設置する。
【００４３】
次に、把持部４を開いた状態としておき、受け部３に竪樋９を当接させ、この状態で把持部４を水平方向に回動させて閉じる。これにより、把持部４の端部に設けられた移動部材支持部４１は、受け部３の端部に設けられた嵌合部６の起点の切欠き部６２に当接して、嵌合部６と移動部材支持部４１とが面一の状態となる。なお、把持部４を閉じる際には、嵌合部６の移動部材７を移動部材支持部４１の最端部に移動させておく。
【００４４】
次に、移動部材７を前方方向にスライドさせ、受け部３の嵌合部６に設けられた爪部６１を裏側から乗り越えさせて嵌合部６と移動部材支持部４１を嵌合させる。これにより、図２に示すように、嵌合部６と移動部材支持部４１は固定され、竪樋９が受け部３と把持部４とにより抱き込むように固定される。
【００４５】
なお、図３（Ｂ）、図５（Ａ）に示す環状型移動部材７２を用いた場合においては、貫通部７４に嵌合部６を挿通するようにしてスライドさせ、嵌合部６に設けられた爪部６１を乗り越えさせて嵌合させることができる。
【００４６】
このように、本実施形態の竪樋用控え具１では、受け部３と把持部４の固定を移動部材７の前方向へのスライド動作のみにより容易に行うことができる。また、嵌合部６を外壁面８側に配置させたことにより、一度嵌合させた移動部材７は、前方や側面からの衝撃によっては容易に外れることがない。さらに、移動部材７を外壁面８方向にスライドし、嵌合部６の爪部６１を乗り越えさせることにより、容易に嵌合を解除させることができ、竪樋９の設置や取り外し、また、竪樋９のメンテナンス等を簡単に行うことができる。
【００４７】
以上、本発明の竪樋用控え具１を一実施形態に基づいて説明したが、本発明は上記の実施形態に限定されるものではなく、その要旨を逸脱しない範囲内において種々の変形、変更が可能である。
【００４８】
例えば、上記実施形態では、受け部３の嵌合部６を間隔を置いて上下二本設けた構成としたが、嵌合部６の形状を幅広の上下何れか一本の構成とすることもできる。なお、この場合には、移動部材７の形状を嵌合部６と重なり合わない形状とすることが考慮される。
【００４９】
また、外壁面８に対する支持固定部２の固定を打ち込みやねじ込みにより行っているが、例えば、支持固定部２を取り付け孔を形成した矩形の板状部とし、取り付け孔を介して釘やネジにより外壁面８に固定することもできる。
【００５０】
上記の構成を有する本発明の竪樋用控え具１によれば、竪樋９の設置が容易で施工性に優れるとともに、設置後の竪樋９のメンテナンス性に優れ、施工後に外部から衝撃が加わった場合にも簡単には外れることがない竪樋用控え具１とすることができる。
【符号の説明】
【００５１】
１  竪樋用控え具
２  支持固定部
３  受け部
４  把持部
４３  環状部
４４  貫通孔
５  ヒンジ部
６  嵌合部
６１  爪部
７  移動部材
８  外壁面
９  竪樋
【図１】
2017160617.tif 000003
【図２】
2017160617.tif 000004
【図３】
2017160617.tif 000005
【図４】
2017160617.tif 000006
【図５】
2017160617.tif 000007